(57)【要約】【課題】外耳道内への所定波長（所定の色）の光を照射によって、体調改善を促進させることが可能な健康具を提供すること。【解決手段】外耳道内への光照射が可能な発光部を有する健康具である。  外耳道に挿入して装着可能な外形を有する請求項１記載の健康具。【選択図】  図１
2009034349.tif 000002
【特許請求の範囲】
【請求項１】
外耳道内への光照射が可能な発光部を有する健康具。
【請求項２】
外耳道に挿入して装着可能な外形を有する請求項１記載の健康具。
【請求項３】
前記発光部は、左右の両耳へ夫々に対応した、少なくとも２個を有して構成される請求項１又は２記載の健康具。
【請求項４】
一方の耳には青色、他方の耳には青、緑又は黄色の光を照射可能とした請求項３記載の健康具。
【請求項５】
前記発光部は発光素子からなる請求項１乃至４のいずれか１項記載の健康具。
【請求項６】
前記発光部は、発光素子が耳道挿入型のイヤホーン形状ケース内に収納されて構成されている請求項１乃至５のいずれか１項記載の健康具。
【請求項７】
前記イヤホーン形状ケースは透明樹脂からなる請求項６記載の健康具。
【請求項８】
前記発光素子は透明樹脂内に一体的に封入されている請求項７記載の健康具。
【発明の詳細な説明】
【技術分野】
【０００１】
本発明は、健康具（体調改善具）に関し、さらに詳述すると、本発明は、特異波長の発光々を体の所定の局部へ照射することにより、体調の改善を図る健康具である。
【背景技術】
【０００２】
【特許文献１】特開２００６−３１９６０４号公報
【０００３】
従来、健康具は、昨今の健康増進ブームに呼応して、各種構成形態の装具が提案されている。たとえば、本発明と技術分野の類似する先行技術として、発明の名称「発光機能付きイヤホーン」（特許文献；特許公開２００６−３１９６０４号公報）がある。
この先行技術では、耳部を覆うパッド式イヤホーン内に装備した発光ダイオードによって、各種の波長の光線（青色、赤色、白色、紫外線）を照射することにより、人体の健康を向上させることができ、且つ製造が容易で、耐用性が高く、故障率が低いイヤホーンを提供する、としている。
しかし、このイヤホーンは、ヘッドホンタイプであり、耳の構造上、音の場合とは異なり光は外耳道内へは導入されない。そして、該先行技術においても、「発光素子１３は耳のツボに対応する位置に設置され、・・・」（段落番号００１３）と記載されている通り、この技術は、耳タブに多く存在するツボに光照射することを目的とするものである。
【０００４】
しかるに、外耳道内へ光照射を行った場合についての効果については示唆するところは無い。
【発明の開示】
【発明が解決しようとする課題】
【０００５】
本発明は、簡便で安全性が高く且つ体調改善の実行性・効率性のより高い、健康具を提供することを目的とする。
【課題を解決するための手段】
【０００６】
請求項１に係る発明は、外耳道内への光照射が可能な発光部を有する健康具である。
【０００７】
請求項２に係る発明は、外耳道に挿入して装着可能な外形を有する請求項１記載の健康具である。
【０００８】
請求項３に係る発明は、前記発光部は、左右の両耳へ夫々に対応した、少なくとも２個を有して構成される請求項１又は２記載の健康具である。
【０００９】
請求項４に係る発明は、一方の耳には青色、他方の耳には青、緑又は黄色の光を照射可能とした請求項３記載の健康具である。特に、上記一方の耳は右耳、上記他方の耳は左耳とすることが好ましい。緑は、心臓への作用を有しているのではないかと推測される。上記一方も耳用の健康具の外形を右耳に挿入可能な外形とし、上記他方の耳用の健康具の外形を左耳に挿入可能な外形とすればよい。
【００１０】
請求項５に係る発明は、前記発光部は発光素子からなる請求項１乃至４のいずれか１項記載の健康具である。
【００１１】
請求項６に係る発明は、前記発光部は、発光素子が耳道挿入型のイヤホーン形状のケース内に収納されて構成されている請求項１乃至５のいずれか１項記載の健康具である。外形を耳道に沿った形にしておき、内部に発光素子を収納する。発光素子（例えばＬＥＤ）をイヤホーン形状のケース内に収納することによりコンパクトな健康具を実現することができる。なお、発光素子を着脱自在にしておけば、発光素子の色を用途に応じて適宜選択することが可能となる。従来の音は発するイヤホーンの発振部の代わりに発光素子を取り付ければよく、ケース自体は従来のイヤホーンのケースを使用することができる。ケースは、硬いケースであっても、柔軟性を有するケースであってもよい。
【００１２】
請求項７に係る発明は、前記イヤホーン形状ケースは透明樹脂からなる請求項６記載の健康具である。
透明樹脂用いることにより、ケースには空隙を必要がなくなり製造が容易となる。すなわち、音の場合には、音源から音を外部に出すための音の伝播路としての空隙が必要であるが、光の場合にはかかる空隙を設ける必要が無い。従って大量生産に向いている。なお空隙は設けてもよい。なお、透明かどうかは特定の波長の透過性を有するかどうかを意味する。
ケースは二つ割りなどの分割タイプとすることも可能である。内部に発光素子を収納する空間を設け、その空間に発光素子を収納して二つ割りしたそれぞれを接着剤などで接着すればよい。
【００１３】
請求項８に係る発明は、前記発光素子は透明樹脂内に一体的に封入されている請求項７記載の健康具である。型内に発光素子を配置しておき、その型内に樹脂を流し込むことにより、ケース内部に発光素子が収納された一体型の健康具を作成することも可能である。
【発明の効果】
【００１４】
以上の説明より明らかなように、本発明の健康具は、第１の半導体発光素子と、この第１の半導体発光素子を発光駆動させる電源部とを有し、第１の半導体発光素子は、人体の外耳道入口部へ装着可能に構成され、第１の半導体発光素子の発光駆動により発生させた光を、外耳道内へ照射可能としている。これら外耳道内への所定波長（所定の色）の光を照射によって、体調改善を促進させることが可能となる。
【発明を実施するための最良の形態】
【００１５】
次に、添付図面を参照して本発明による健康具の実施の形態を詳細に説明する。図１を参照すると、本発明の健康具に係る実施形態が示されている。図２は、本健康具の人体への適用例を説明するにおいて用いる、人体の耳部の形態を概念的に示した断面図である。さらに、図３は、発光部の構成例を示した断面図であり、所定色の光を発光する発光ダイオードを、イヤホーン形状のケース内へ収納した状態を示している。
【００１６】
図１に示した健康具は、半導体発光素子により構成される発光部１，２と、該発光部１，２を駆動する電源部５と、発光部１，２と電源部５とを電気的に接続する接続部３、４とを有して成る。一方の発光部１は、青色光を発光する第１のＬＥＤ素子１を収容し、他方の発光部２は、黄色光を発光する第２のＬＥＤ素子２を収容している。これらの発光部１、２は、夫々にコードを介して駆動電源入力部であるプラグ３と接続されて構成される。また、上記駆動電源供給部となる電源部は、アダプター構造のＡＣ／ＤＣ電源部５と、該ＡＣ／ＤＣ電源部５と接続されたジャック４とを有して、構成される。なお、このジャック４は、上記のプラグ３に接続対応している。これら電源部／発光部の両者は、上記のプラグ３とジャック４により、相互の接続を容易に切り離し可能な形態で、相互に電気的に接続が実行される。
【００１７】
上記の“プラグ３とジャック４”は、相互に着脱自在とされ、青色光及び黄色光等を発光する発光ＬＥＤを駆動するためのＤＣ電源を、各々のＬＥＤ１、２へ供給するための機能を有している。このＤＣ電源を供給する電源部５は、例えば、入力AC１００V／出力規格ＤＣ３Ｖ２ＡのＡＣ／ＤＣアダプターであり、ＡＣ１００Ｖ電源入力用の接続ピンを有して構成される。また、上記２個のＬＥＤ素子１、２を有する発光部は、一方が青色発光ＬＥＤにより成る発光体（ＵＶ５３０６Ｘ）を有し、他方が黄色発光ＬＥＤにより成る発光体（ＶＹ５３３８Ｓ）を有して構成される。尚上記の“青色発光ＬＥＤ／黄色発光ＬＥＤ”の発光色の相違は、発光ビーム周波数の相違に基づいている。この発光ビーム周波数の相違は、人が視覚的に認識・識別可能／不能の両者を含むものとする。
【００１８】
図２は、図１に示した発光部のＬＥＤ１が、イヤホーン状のケース１０内へ収容された形態例を、概念的に示した断面図である。本図２において、ケース１０の構造は、本体部１０ａ及び耳穴挿入部１０ｂの内部が空洞であり、且つ本体部１０ａの所定部において、前後に２分割可能な形態のケースである。しかし、本発光部は、モールド形成等で、一体的に構成された形態であっても適用可能である。但し、発光部（ＬＥＤ１）からの発光々への遮蔽および傷害の、生じない事が必用要件である。
なお、本実施例で適用したケースは、図中において詳細を示していないが、ＬＥＤ１収容部１０ｂにおいて耳穴挿入部１０a側と前後に、２分割可能な、組合せ型のケースである。発光部（ＬＥＤ１）のケース１０内への収納固定は、例えば、発光部（ＬＥＤ１）に柔軟なリング形状体を装着して、ケース１０の筒状体部へ押圧挿入し、勘合させる。または、発光部（ＬＥＤ１）の外周部へ部分的に接着剤等を塗布して、ケース１０の筒状体部へ固定する、等々がある。
【００１９】
図３は、上記構成の発光部１、２の適用形態を説明する際に用いる図であり、人体の外耳部の形態を概念的に表した縦断面図である。本図３において、注目すべき箇所は、耳介１１、外耳道１２、鼓膜１３、である。本願発明の発光部１、２が、イヤホーン型ケース内へ収納状態で、外耳道１２の入口部へ部分的に挿入して装着される。該発光部１、２の装着状態では、発光部１、２からの照射光により、外耳道１２の周辺部の組織へ影響を与える温度上昇と各種作用の効果が生じるものと推察される。
【００２０】
さらに詳述すると、上記構成に基づく発光体１、２の左右両耳部への装着状態では、右耳穴へ青色発光ＬＥＤにより成る発光体（ＵＶ５３０６Ｘ）を装着し、左耳穴へ黄色発光ＬＥＤにより成る発光体（ＶＹ５３３８Ｓ）を装着した状態となる。本装着状態で電源を供給し、夫々の発光体を発光させる。本状態での照射を略３０分間実行すると、被装着の人は、一般的に、内耳部位を中心として、体の温まるのを感じる。これと伴に、例えば、頭がスッキリする症状の変化等を自覚する、自覚症状が生じる。
なお、上記の実施例では、左右の耳穴（外耳道２）への発光々の照射に基づいて説明したが、何れかの一方のみでも有効である。また、不図示の第３の発光体により胸部への照射を加えると、さらに症状の改善効果が増す。これらの効果は、実験結果の内容を表化して表した表１からも知れる。
【００２１】
【表１】
2009034349.tif 000003
2009034349.tif 000004
2009034349.tif 000005
2009034349.tif 000006
【００２２】
表１は、上記構成に基づく発光体１、２を、左右の耳部（外耳道１２の入口部位）へ装着して、光照射実験の効果の症状例をまとめた表である。本表において、被実験者の「年齢」、「リート前の症状」、「リート後の症状（一両日中の変化）」、実施結果の「判定」記号の、夫々を表している。なお、「判定」記号は、有効／○印、やや有効／△印、無効／×印、としている。
【００２３】
本表において、例えば、最上段の被実験者において、年齢「５０」歳であり、リート前の症状として、「手足の痛み」と「正座が出来ない」があった。さらに、本願発明の「健康具」を用いたリート後の症状例（一両日中の変化）として、「少し軽くなる」、「左肘も軽い感じになる」、「鼓動が激しくなる」、「手足がしびれた」、「血液の循環が良くなる感じがした」、「足が暖かくなった」等の症例上における変化が得られた。
【００２４】
尚、本表右端の「判定」欄は、上記リート前後の症状に基づき、効果有無の判定例を、記号として示している。夫々の記号において、記号“〇”が結果良好、記号“△”が結果やや良好、記号“×”が症状変わらず、をそれぞれ表している。
【００２５】
リート後の症例を全体的に考察して、「リラックスする」、「症例部・体等が温かくなる」、「肩こりの軽減」、「痛み部位の改善」、「痛みの緩和」、等々の症状の改善が見られる。「判定」結果の記号は、やや有効を表す“△”と有効を表す“○”が多く、無効を表す“×”は少数となっている。これらの結果から、被試験者の年齢の大小に拘わらず、大半の被試験者に有効であり、実施の効果が得られたと考察される。
【００２６】
（添付表の説明）
添付した表１は、略８８種の実施症例の内容を、表化して示したものである。本表では、「年齢」、「リート前の症状」、「リート後の症状（一両日中の変化）」、「判定」の各項目別に要点を示している。これらにおいて、「年齢」は被実施試験者の満年齢であり、「リート前の症状」は被試験者の実施実行前の症状例である。また、「リート後の症状（一両日中の変化）」は、本願発明の健康具を実施後の、リート後の症状の要点を列記している。「判定」は、実施後の症状々態変化の有無を、記号化（有効／○、やや有効／△、無効／×）して表している。
【００２７】
本添付表において示された「リート前の症状」と「リート後の症状（一両日中の変化）」は、各人様々である。特に、改善効果が有ると考察される症例として、身体の温もり、緊張感の緩和（リラクゼーション）や、身体の“こり”、腰痛・頭痛、等において軽減・緩和が見られ、効果があったと考察される、
より具体的な症例を、以下に列挙する。本症例は、各種の症状を有する年齢が１０歳台〜７０歳台の男女に対して、実施した結果である。
１）手足の痛み、２）肩こり、３）腰痛、４）頭痛、５）手足の冷え、６）全身の痛み、７）眼部の痛み、８）腕部の痛み、９）腰部の痛み、１０）しびれ、１１）冷え、１２）歯の痛み、１３）痰がからむ、１４）緊張感の緩和（リラクゼーション）、等である。
【００２８】
上記の実施症例の結果、大半の実施者において、「リート前の症状」に対する「リート後の症状」に、症状改善変化（一両日中の変化）が見られる。この“リート後の症状改善変化”は、“一両日中の短期間における変化”である。このため、長期間継続的に実施した場合には、症状改善変化のレベルの度合いは、かなり大きなものであると考察される。
【図面の簡単な説明】
【００２９】
【図１】本発明の健康具の構成例を示した図である。
【図２】本発明の健康具に適用される光照射部の構成例を示した断面図である。
【図３】効果・効能の説明において用いるための図であって、外耳道周辺部の人体の構成を示した図である。
【符号の説明】
【００３０】
１    第１の発光素子
２    第２の発光素子
３    プラグ
４    ジャック
５    電源部（ＡＣ／ＤＣ電源部（３Ｖ２Ａ））
１０  ケース
１０ａ  （ケースの）本体部
１０ｂ  （ケースの）耳穴挿入部
１１    耳介
１２    外耳道
１３    鼓膜
【図１】
2009034349.tif 000007
【図２】
2009034349.tif 000008
【図３】
2009034349.tif 000009